(57)【要約】      （修正有）【課題】硬貨処理機における硬貨の補充可能量よりも多くの硬貨量の棒金硬貨を操作者が誤って棒金収納装置から取り出してしまったときにこのことを当該操作者に認識させることができ、よって硬貨処理機に補充することができないバラ硬貨が発生してしまうことを防止することができる硬貨処理システムおよび硬貨処理方法を提供する。【解決手段】硬貨処理システムは、硬貨処理機（例えば、硬貨釣銭機１００）における硬貨の補充可能量を算出する補充可能量算出手段１３７と、棒金収納装置４００から取り出された棒金硬貨の硬貨量である取出量を検知する取出量検知手段４３６と、算出された補充可能量と検知された取出量とを比較する比較手段１３８とを備えている。【選択図】図３
2015228161.tif 000002
【特許請求の範囲】
【請求項１】
棒金硬貨を収納可能な棒金収納装置、硬貨を収納可能であるとともに少なくとも収納された硬貨の出金処理を実行可能な硬貨処理機、および前記棒金収納装置および前記硬貨処理機の管理を行う管理装置を備えた硬貨処理システムであって、
前記硬貨処理機に収納されている硬貨の在高を管理する在高管理手段と、
前記在高管理手段により管理される在高に基づいて前記硬貨処理機における硬貨の補充可能量を算出する補充可能量算出手段と、
前記棒金収納装置から取り出された棒金硬貨の硬貨量である取出量を検知する取出量検知手段と、
前記補充可能量算出手段により算出された前記補充可能量と前記取出量検知手段により検知された前記取出量とを比較する比較手段と、
を備えた、硬貨処理システム。
【請求項２】
前記在高管理手段は、前記硬貨処理機に収納されている硬貨の在高を金種毎に管理するようになっており、
前記補充可能量算出手段は、前記補充可能量を金種毎に算出するようになっており、
前記取出量検知手段は、前記取出量を金種毎に検知するようになっており、
前記比較手段は、前記補充可能量と前記取出量とを金種毎に比較するようになっている、請求項１記載の硬貨処理システム。
【請求項３】
前記比較手段において前記補充可能量よりも前記取出量が多いと判断された場合にこのことを操作者に警告するための警告手段を更に備えた、請求項１または２記載の硬貨処理システム。
【請求項４】
前記警告手段は、前記比較手段において前記補充可能量よりも前記取出量が多いと判断された場合にこのことを操作者に視覚的に警告するための表示部を有している、請求項３記載の硬貨処理システム。
【請求項５】
前記警告手段は、前記比較手段において前記補充可能量よりも前記取出量が多いと判断された場合にこのことを操作者に聴覚的に警告するための音声部を有している、請求項３記載の硬貨処理システム。
【請求項６】
前記棒金収納装置は、当該棒金収納装置の筐体から引き出し可能であり棒金硬貨の収納を行う収納ドロアおよび前記収納ドロアが前記筐体に収容されたときに当該収納ドロアを前記筐体内にロックするためのロック部を有しており、
前記比較手段において前記補充可能量よりも前記取出量が多いと判断された場合に、前記収納ドロアが前記筐体に収容されても前記ロック部により前記収納ドロアを前記筐体内にロックしないよう当該ロック部の制御を行うロック部制御手段を更に備えた、請求項１乃至５のいずれか一項に記載の硬貨処理システム。
【請求項７】
前記比較手段において前記補充可能量よりも前記取出量が多いと判断された場合に、前記硬貨処理機の筐体内に硬貨が取り込まれることを防止する硬貨取込防止手段を更に備えた、請求項１乃至６のいずれか一項に記載の硬貨処理システム。
【請求項８】
前記硬貨処理機は、当該硬貨処理機の前記筐体内に硬貨を投入するための硬貨投入口の開閉を行うシャッタを有しており、
前記硬貨取込防止手段は、前記比較手段において前記補充可能量よりも前記取出量が多いと判断された場合に、前記硬貨処理機の前記シャッタを閉じて前記硬貨投入口への硬貨の投入を防止するようになっている、請求項７記載の硬貨処理システム。
【請求項９】
前記硬貨処理機は、当該硬貨処理機の前記筐体内に硬貨を繰り出す繰出部を有しており、
前記硬貨取込防止手段は、前記比較手段において前記補充可能量よりも前記取出量が多いと判断された場合に、前記硬貨処理機の前記繰出部を動作させないようになっている、請求項７記載の硬貨処理システム。
【請求項１０】
前記硬貨処理機に収納される硬貨の最大収納量が予め設定されており、
前記補充可能量算出手段は、予め設定された前記最大収納量と、前記在高管理手段により管理される在高とに基づいて前記補充可能量を算出するようになっている、請求項１乃至９のいずれか一項に記載の硬貨処理システム。
【請求項１１】
前記硬貨処理機に収納される硬貨の収納適正量を記憶する記憶手段を更に備え、
前記補充可能量算出手段は、前記記憶手段に記憶されている前記収納適正量と、前記在高管理手段により管理される在高とに基づいて前記補充可能量を算出するようになっている、請求項１乃至９のいずれか一項に記載の硬貨処理システム。
【請求項１２】
棒金硬貨を収納可能な棒金収納装置、および前記棒金収納装置に通信可能に接続され、硬貨を収納可能であるとともに少なくとも収納された硬貨の出金処理を実行可能な硬貨処理機を備えた硬貨処理システムであって、
前記硬貨処理機に収納されている硬貨の在高を管理する在高管理手段と、
前記在高管理手段により管理される在高に基づいて前記硬貨処理機における硬貨の補充可能量を算出する補充可能量算出手段と、
前記棒金収納装置から取り出された棒金硬貨の硬貨量である取出量を検知する取出量検知手段と、
前記補充可能量算出手段により算出された前記補充可能量と前記取出量検知手段により検知された前記取出量とを比較する比較手段と、
を備えた、硬貨処理システム。
【請求項１３】
貨幣を収納可能な貨幣収納装置、および前記貨幣収納装置に通信可能に接続され、貨幣を収納可能であるとともに少なくとも収納された貨幣の出金処理を実行可能な貨幣処理機を備えた貨幣処理システムであって、
前記貨幣処理機に収納されている貨幣の在高を管理する在高管理手段と、
前記在高管理手段により管理される在高に基づいて前記貨幣処理機における貨幣の補充可能量を算出する補充可能量算出手段と、
前記貨幣収納装置から取り出された貨幣の量である取出量を検知する取出量検知手段と、
前記補充可能量算出手段により算出された前記補充可能量と前記取出量検知手段により検知された前記取出量とを比較する比較手段と、
を備えた、貨幣処理システム。
【請求項１４】
前記貨幣は、バラ紙幣、バラ硬貨、帯封紙幣および棒金硬貨を含む群から選択された少なくとも１つのものからなる、請求項１３記載の貨幣処理システム。
【請求項１５】
棒金硬貨を収納可能な棒金収納装置、および前記棒金収納装置に通信可能に接続され、硬貨を収納可能であるとともに少なくとも収納された硬貨の出金処理を実行可能な硬貨処理機を備えた硬貨処理システムによる硬貨処理方法であって、
前記硬貨処理機における硬貨の補充可能量を算出する工程と、
前記棒金収納装置から取り出された棒金硬貨の硬貨量である取出量を検知する工程と、
算出された前記補充可能量と検知された前記取出量とを比較する工程と、
を備えた、硬貨処理方法。
【請求項１６】
貨幣を収納可能な貨幣収納装置、および前記貨幣収納装置に通信可能に接続され、貨幣を収納可能であるとともに少なくとも収納された貨幣の出金処理を実行可能な貨幣処理機を備えた貨幣処理システムによる貨幣処理方法であって、
前記貨幣処理機における貨幣の補充可能量を算出する工程と、
前記貨幣収納装置から取り出された貨幣の量である取出量を検知する工程と、
算出された前記補充可能量と検知された前記取出量とを比較する工程と、
を備えた、貨幣処理方法。
【発明の詳細な説明】
【技術分野】
【０００１】
本発明は、少なくとも棒金収納装置および硬貨処理機を備えた硬貨処理システムおよびこのような硬貨処理システムによる硬貨処理方法、ならびに貨幣収納装置および貨幣処理機を備えた貨幣処理システムおよびこのような貨幣処理システムによる貨幣処理方法に関する。
【背景技術】
【０００２】
従来から、棒金硬貨（同一金種の硬貨を一定枚数だけ棒状にまとめてフィルムや包装紙等により包装したもの）の包装を解いて得られたバラ硬貨を釣銭用として硬貨釣銭機に補充する際の管理を行うための釣銭補充管理システムとして、様々なタイプのものが知られている。このような釣銭補充管理システムは、例えばスーパーマーケット等の店舗のレジに配設されるようになっている。
【０００３】
例えば、特許文献１には、棒金硬貨を収納可能な棒金収納庫と、当該棒金収納庫に通信可能に接続された硬貨釣銭機とを備えた釣銭補充管理システムにおいて、棒金収納庫から取り出された棒金硬貨の金種および本数と、棒金硬貨の包装を解いて得られたバラ硬貨が硬貨釣銭機に投入された際にこの硬貨釣銭機の識別部によって識別された当該バラ硬貨の金種および枚数とを比較して両者間の対応を判定する技術が開示されている。
【先行技術文献】
【特許文献】
【０００４】
【特許文献１】特許第４７７６９０４号
【発明の概要】
【発明が解決しようとする課題】
【０００５】
従来の釣銭補充管理システムでは、店舗のレジ担当者等が硬貨釣銭機にバラ硬貨を補充するために棒金収納庫から棒金硬貨を取り出す際に、硬貨釣銭機における硬貨の補充可能量よりも多くの硬貨量の棒金硬貨を棒金収納庫から取り出してしまったり、硬貨釣銭機に補充されるべき硬貨の金種とは異なる金種の棒金硬貨を誤って棒金収納庫から取り出してしまったりすることがあった。このような場合には、棒金収納庫から取り出された棒金硬貨の包装を解いてバラ硬貨としても、全てのバラ硬貨を硬貨釣銭機に収納しきれないおそれがあり、硬貨釣銭機に収納しきれずに返却されたバラ硬貨の保管に困るという問題が生じてしまう。
【０００６】
本発明は、このような点を考慮してなされたものであって、硬貨処理機における硬貨の補充可能量よりも多くの硬貨量の棒金硬貨を操作者が誤って棒金収納装置から取り出してしまったときにこのことを当該操作者に認識させることができ、よって硬貨処理機に補充することができないバラ硬貨が発生してしまうことを防止することができる硬貨処理システムおよび硬貨処理方法を提供することを目的とする。
【０００７】
本発明の他の目的は、貨幣処理機における貨幣の補充可能量よりも多くの量の貨幣を操作者が誤って貨幣収納装置から取り出してしまったときにこのことを当該操作者に認識させることができ、よって貨幣処理機に補充することができない貨幣が発生してしまうことを防止することができる貨幣処理システムおよび貨幣処理方法を提供することにある。
【課題を解決するための手段】
【０００８】
本発明の硬貨処理システムは、棒金硬貨を収納可能な棒金収納装置、硬貨を収納可能であるとともに少なくとも収納された硬貨の出金処理を実行可能な硬貨処理機、および前記棒金収納装置および前記硬貨処理機の管理を行う管理装置を備えた硬貨処理システムであって、前記硬貨処理機に収納されている硬貨の在高を管理する在高管理手段と、前記在高管理手段により管理される在高に基づいて前記硬貨処理機における硬貨の補充可能量を算出する補充可能量算出手段と、前記棒金収納装置から取り出された棒金硬貨の硬貨量である取出量を検知する取出量検知手段と、前記補充可能量算出手段により算出された前記補充可能量と前記取出量検知手段により検知された前記取出量とを比較する比較手段と、を備えたことを特徴とする。
【０００９】
このような硬貨処理システムによれば、硬貨処理機における硬貨の補充可能量と、棒金収納装置から取り出された棒金硬貨の硬貨量である取出量とを比較することによって、硬貨処理機における硬貨の補充可能量よりも多くの硬貨量の棒金硬貨を操作者が誤って棒金収納装置から取り出してしまったときにこのことを当該操作者に認識させることができ、よって硬貨処理機に補充することができないバラ硬貨が発生してしまうことを防止することができる。
【００１０】
本発明の硬貨処理システムにおいては、前記在高管理手段は、前記硬貨処理機に収納されている硬貨の在高を金種毎に管理するようになっており、前記補充可能量算出手段は、前記補充可能量を金種毎に算出するようになっており、前記取出量検知手段は、前記取出量を金種毎に検知するようになっており、前記比較手段は、前記補充可能量と前記取出量とを金種毎に比較するようになっていてもよい。
【００１１】
本発明の硬貨処理システムは、前記比較手段において前記補充可能量よりも前記取出量が多いと判断された場合にこのことを操作者に警告するための警告手段を更に備えていてもよい。
【００１２】
この場合、前記警告手段は、前記比較手段において前記補充可能量よりも前記取出量が多いと判断された場合にこのことを操作者に視覚的に警告するための表示部を有していてもよい。
【００１３】
あるいは、前記警告手段は、前記比較手段において前記補充可能量よりも前記取出量が多いと判断された場合にこのことを操作者に聴覚的に警告するための音声部を有していてもよい。
【００１４】
本発明の硬貨処理システムにおいては、前記棒金収納装置は、当該棒金収納装置の筐体から引き出し可能であり棒金硬貨の収納を行う収納ドロアおよび前記収納ドロアが前記筐体に収容されたときに当該収納ドロアを前記筐体内にロックするためのロック部を有しており、前記比較手段において前記補充可能量よりも前記取出量が多いと判断された場合に、前記収納ドロアが前記筐体に収容されても前記ロック部により前記収納ドロアを前記筐体内にロックしないよう当該ロック部の制御を行うロック部制御手段を更に備えていてもよい。
【００１５】
本発明の硬貨処理システムは、前記比較手段において前記補充可能量よりも前記取出量が多いと判断された場合に、前記硬貨処理機の筐体内に硬貨が取り込まれることを防止する硬貨取込防止手段を更に備えていてもよい。
【００１６】
この場合、前記硬貨処理機は、当該硬貨処理機の前記筐体内に硬貨を投入するための硬貨投入口の開閉を行うシャッタを有しており、前記硬貨取込防止手段は、前記比較手段において前記補充可能量よりも前記取出量が多いと判断された場合に、前記硬貨処理機の前記シャッタを閉じて前記硬貨投入口への硬貨の投入を防止するようになっていてもよい。
【００１７】
あるいは、前記硬貨処理機は、当該硬貨処理機の前記筐体内に硬貨を繰り出す繰出部を有しており、前記硬貨取込防止手段は、前記比較手段において前記補充可能量よりも前記取出量が多いと判断された場合に、前記硬貨処理機の前記繰出部を動作させないようになっていてもよい。
【００１８】
本発明の硬貨処理システムにおいては、前記硬貨処理機に収納される硬貨の最大収納量が予め設定されており、前記補充可能量算出手段は、予め設定された前記最大収納量と、前記在高管理手段により管理される在高とに基づいて前記補充可能量を算出するようになっていてもよい。
【００１９】
あるいは、本発明の硬貨処理システムは、前記硬貨処理機に収納される硬貨の収納適正量を記憶する記憶手段を更に備え、前記補充可能量算出手段は、前記記憶手段に記憶されている前記収納適正量と、前記在高管理手段により管理される在高とに基づいて前記補充可能量を算出するようになっていてもよい。
【００２０】
本発明の硬貨処理システムは、棒金硬貨を収納可能な棒金収納装置、および前記棒金収納装置に通信可能に接続され、硬貨を収納可能であるとともに少なくとも収納された硬貨の出金処理を実行可能な硬貨処理機を備えた硬貨処理システムであって、前記硬貨処理機に収納されている硬貨の在高を管理する在高管理手段と、前記在高管理手段により管理される在高に基づいて前記硬貨処理機における硬貨の補充可能量を算出する補充可能量算出手段と、前記棒金収納装置から取り出された棒金硬貨の硬貨量である取出量を検知する取出量検知手段と、前記補充可能量算出手段により算出された前記補充可能量と前記取出量検知手段により検知された前記取出量とを比較する比較手段と、を備えたことを特徴とする。
【００２１】
このような硬貨処理システムによれば、硬貨処理機における硬貨の補充可能量と、棒金収納装置から取り出された棒金硬貨の硬貨量である取出量とを比較することによって、硬貨処理機における硬貨の補充可能量よりも多くの硬貨量の棒金硬貨を操作者が誤って棒金収納装置から取り出してしまったときにこのことを当該操作者に認識させることができ、よって硬貨処理機に補充することができないバラ硬貨が発生してしまうことを防止することができる。
【００２２】
本発明の貨幣処理システムは、貨幣を収納可能な貨幣収納装置、および前記貨幣収納装置に通信可能に接続され、貨幣を収納可能であるとともに少なくとも収納された貨幣の出金処理を実行可能な貨幣処理機を備えた貨幣処理システムであって、前記貨幣処理機に収納されている貨幣の在高を管理する在高管理手段と、前記在高管理手段により管理される在高に基づいて前記貨幣処理機における貨幣の補充可能量を算出する補充可能量算出手段と、前記貨幣収納装置から取り出された貨幣の量である取出量を検知する取出量検知手段と、前記補充可能量算出手段により算出された前記補充可能量と前記取出量検知手段により検知された前記取出量とを比較する比較手段と、を備えたことを特徴とする。
【００２３】
このような貨幣処理システムによれば、貨幣処理機における貨幣の補充可能量と、貨幣収納装置から取り出された貨幣の量である取出量とを比較することによって、貨幣処理機における貨幣の補充可能量よりも多くの量の貨幣を操作者が誤って貨幣収納装置から取り出してしまったときにこのことを当該操作者に認識させることができ、よって貨幣処理機に補充することができない貨幣が発生してしまうことを防止することができる。
【００２４】
本発明の貨幣処理システムにおいては、前記貨幣は、バラ紙幣、バラ硬貨、帯封紙幣および棒金硬貨を含む群から選択された少なくとも１つのものからなっていてもよい。
【００２５】
本発明の硬貨処理方法は、棒金硬貨を収納可能な棒金収納装置、および前記棒金収納装置に通信可能に接続され、硬貨を収納可能であるとともに少なくとも収納された硬貨の出金処理を実行可能な硬貨処理機を備えた硬貨処理システムによる硬貨処理方法であって、前記硬貨処理機における硬貨の補充可能量を算出する工程と、前記棒金収納装置から取り出された棒金硬貨の硬貨量である取出量を検知する工程と、算出された前記補充可能量と検知された前記取出量とを比較する工程と、を備えたことを特徴とする。
【００２６】
このような硬貨処理方法によれば、硬貨処理機における硬貨の補充可能量と、棒金収納装置から取り出された棒金硬貨の硬貨量である取出量とを比較することによって、硬貨処理機における硬貨の補充可能量よりも多くの硬貨量の棒金硬貨を操作者が誤って棒金収納装置から取り出してしまったときにこのことを当該操作者に認識させることができ、よって硬貨処理機に補充することができないバラ硬貨が発生してしまうことを防止することができる。
【００２７】
本発明の貨幣処理方法は、貨幣を収納可能な貨幣収納装置、および前記貨幣収納装置に通信可能に接続され、貨幣を収納可能であるとともに少なくとも収納された貨幣の出金処理を実行可能な貨幣処理機を備えた貨幣処理システムによる貨幣処理方法であって、前記貨幣処理機における貨幣の補充可能量を算出する工程と、前記貨幣収納装置から取り出された貨幣の量である取出量を検知する工程と、算出された前記補充可能量と検知された前記取出量とを比較する工程と、を備えたことを特徴とする。
【００２８】
このような貨幣処理方法によれば、貨幣処理機における貨幣の補充可能量と、貨幣収納装置から取り出された貨幣の量である取出量とを比較することによって、貨幣処理機における貨幣の補充可能量よりも多くの量の貨幣を操作者が誤って貨幣収納装置から取り出してしまったときにこのことを当該操作者に認識させることができ、よって貨幣処理機に補充することができない貨幣が発生してしまうことを防止することができる。
【発明の効果】
【００２９】
本発明の硬貨処理システムおよび硬貨処理方法によれば、硬貨処理機における硬貨の補充可能量よりも多くの硬貨量の棒金硬貨を操作者が誤って棒金収納装置から取り出してしまったときにこのことを当該操作者に認識させることができ、よって硬貨処理機に補充することができないバラ硬貨が発生してしまうことを防止することができる。
【００３０】
本発明の貨幣処理システムおよび貨幣処理方法によれば、貨幣処理機における貨幣の補充可能量よりも多くの量の貨幣を操作者が誤って貨幣収納装置から取り出してしまったときにこのことを当該操作者に認識させることができ、よって貨幣処理機に補充することができない貨幣が発生してしまうことを防止することができる。
【図面の簡単な説明】
【００３１】
【図１】本発明の第１の実施の形態による貨幣処理システムの貨幣釣銭機、棒金収納装置およびＰＯＳレジスタの構成を示す斜視図である。
【図２】図１に示す貨幣処理システムの貨幣釣銭機、棒金収納装置およびＰＯＳレジスタの内部構成を模式的に示す構成図である。
【図３】図１に示す貨幣処理システムの制御系の構成を示す機能ブロック図である。
【図４】図１に示す貨幣処理システムの棒金収納装置において収納ドロアを筐体から引き出したときの状態を示す上面図である。
【図５】図１に示す貨幣処理システムにおいて棒金収納装置から棒金硬貨を取り出してバラ硬貨とした後に硬貨釣銭機に補充するときの動作を示すフローチャートである。
【図６】（ａ）〜（ｃ）は、図１に示す貨幣処理システムにおいて棒金収納装置から棒金硬貨を取り出してバラ硬貨とした後に硬貨釣銭機に補充するときの操作表示部の表示内容を示す図である。
【図７】変形例に係る棒金収納装置において収納ドロアを筐体から引き出したときの状態を示す上面図である。
【図８】本発明の第２の実施の形態による貨幣処理システムの出納機および貨幣管理装置の構成を示す斜視図である。
【図９】図８に示す貨幣処理システムにおける貨幣管理装置の第２紙幣収納ドロアの構成を示す斜視図である。
【図１０】図８に示す貨幣処理システムにおける貨幣管理装置の第２硬貨収納ドロアの構成を示す斜視図である。
【図１１】図８に示す貨幣処理システムの制御系の構成を示す機能ブロック図である。
【発明を実施するための形態】
【００３２】
〔第１の実施の形態〕
以下、図面を参照して本発明の第１の実施の形態について説明する。図１乃至図６は、第１の実施の形態による貨幣処理システムを示す図である。このうち、図１は、本実施の形態による貨幣処理システムの貨幣釣銭機、棒金収納装置およびＰＯＳレジスタの構成を示す斜視図であり、図２は、図１に示す貨幣処理システムの貨幣釣銭機、棒金収納装置およびＰＯＳレジスタの内部構成を模式的に示す構成図であり、図３は、図１に示す貨幣処理システムの制御系の構成を示す機能ブロック図である。また、図４は、図１に示す貨幣処理システムの棒金収納装置において収納ドロアを筐体から引き出したときの状態を示す上面図である。また、図５は、図１に示す貨幣処理システムにおいて棒金収納装置から棒金硬貨を取り出してバラ硬貨とした後に硬貨釣銭機に補充するときの動作を示すフローチャートである。また、図６（ａ）〜（ｃ）は、図１に示す貨幣処理システムにおいて棒金収納装置から棒金硬貨を取り出してバラ硬貨とした後に硬貨釣銭機に補充するときの操作表示部の表示内容を示す図である。
【００３３】
まず、本実施の形態による貨幣処理システムの全体構成について図１を用いて説明する。図１に示すように、本実施の形態による貨幣処理システムは、上下に並べて配置された硬貨釣銭機１００および棒金収納装置４００と、これらの硬貨釣銭機１００や棒金収納装置４００の隣に並べて配置された紙幣釣銭機２００と、硬貨釣銭機１００や紙幣釣銭機２００の上方に設けられたＰＯＳレジスタ３００とを備えている。硬貨釣銭機１００および紙幣釣銭機２００は、それぞれ硬貨や紙幣の入出金処理を行うようになっている。これらの硬貨釣銭機１００および紙幣釣銭機２００により貨幣釣銭機が構成されている。また、棒金収納装置４００は、各金種の棒金硬貨（同一金種の硬貨を一定枚数だけ棒状にまとめてフィルムや包装紙等により包装したもの）を取り出し可能に収納するようになっている。また、ＰＯＳレジスタ３００は、硬貨釣銭機１００、紙幣釣銭機２００および棒金収納装置４００の管理を行う管理装置として用いられるようになっている。
【００３４】
図２および図３に示すように、硬貨釣銭機１００は、上位制御部１２０および硬貨釣銭機制御部１３０を有しており、これらの上位制御部１２０および硬貨釣銭機制御部１３０は通信可能に接続されている。また、紙幣釣銭機２００は紙幣釣銭機制御部２３０を有しており、この紙幣釣銭機制御部２３０は硬貨釣銭機１００の上位制御部１２０に通信可能に接続されている。また、棒金収納装置４００は棒金収納装置制御部４３０を有しており、この棒金収納装置制御部４３０は硬貨釣銭機１００の上位制御部１２０に通信可能に接続されている。また、ＰＯＳレジスタ３００はＰＯＳ制御部３３０を有しており、硬貨釣銭機１００の上位制御部１２０はＰＯＳレジスタ３００のＰＯＳ制御部３３０に通信可能に接続されている。また、図示していないが、ＰＯＳレジスタ３００のＰＯＳ制御部３３０は店舗サーバ等の上位端末と通信可能に接続されている。
【００３５】
まず、硬貨釣銭機１００の構成について具体的に説明する。図１に示すように、硬貨釣銭機１００は、前部上面にタッチパネル等の操作表示部１１２が設けられた筐体１１０を備えている。筐体１１０の前部には硬貨受入部１１４および硬貨払出部１１６が設けられている。
【００３６】
硬貨受入部１１４は、硬貨投入口を介して受け入れた硬貨を１層１列状態で１枚ずつ筐体１１０内に取り込むようになっている。より詳細には、硬貨受入部１１４には繰出ベルト（図示せず）が設けられており、硬貨投入口に投入された硬貨を検知するとこの繰出ベルトが駆動されることにより当該繰出ベルトが硬貨を硬貨釣銭機１００の筐体１１０内に１枚ずつ繰り出すようになっている。また、図１に示すように、硬貨受入部１１４の硬貨投入口には当該硬貨投入口の開閉を行うシャッタ１１８が設けられており、シャッタ１１８が開かれたときに硬貨受入部１１４に硬貨を投入することができるようになっている。また、図２に示すように、硬貨受入部１１４には、当該硬貨受入部１１４により筐体１１０内に取り込まれた硬貨を搬送する入金搬送部１０３が接続されている。
【００３７】
図２に示すように、入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００３８】
一方、正常硬貨等の筐体１１０内に収納されるべき硬貨は入金搬送部１０３により硬貨収納部１０６へ搬送されるようになっている。硬貨収納部１０６は硬貨を金種別に収納するようになっている。具体的には、例えば日本国で流通している硬貨の６つの金種（５００円硬貨、１００円硬貨、５０円硬貨、１０円硬貨、５円硬貨および１円硬貨）に対応して６つの硬貨収納部１０６が設けられており、入金搬送部１０３の上流側（すなわち、図２における下側）から低額順に硬貨が収納されるようになっている。また、各硬貨収納部１０６は金種毎に硬貨の最大収納量が予め設定されている。具体的には、５００円硬貨に対応する硬貨収納部１０６における硬貨の最大収納量は例えば１０５枚であり、１００円硬貨、１０円硬貨、１円硬貨にそれぞれ対応する硬貨収納部１０６における硬貨の最大収納量は例えば１６０枚であり、５０円硬貨および５円硬貨にそれぞれ対応する硬貨収納部１０６における硬貨の最大収納量は例えば１２０枚である。
【００３９】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００４０】
次に、紙幣釣銭機２００の構成について具体的に説明する。図１および図２に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外側から取り囲むように配置されている。
【００４１】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００４２】
また、周回搬送部２０３ａと各接続搬送部２０３ｂとの間で紙幣の搬送経路を切り換える経路切換部（図示せず）が、周回搬送部２０３ａに沿って配置されている。
【００４３】
図１および図２に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に取り付けられている。
【００４４】
紙幣受入部２１４は、投入された紙幣を検知すると駆動され、紙幣受入口２１４ａに挿入された入金紙幣を一括で取り込んで、周回搬送部２０３ａ側へ１枚ずつ繰り出すようになっている。各紙幣収納部２０６は、紙幣識別部２０１の識別結果に基づいて紙幣を金種別に収納する。具体的には、３つの紙幣収納部２０６として、一万円札を収納する紙幣収納部２０６、五千円札および二千円札を混合状態で収納する紙幣収納部２０６、および千円札を収納する紙幣収納部２０６がそれぞれ設けられている。また、各紙幣収納部２０６は金種毎に紙幣の最大収納量が予め設定されている。また、各紙幣払出部２１６は、各紙幣収納部２０６から周回搬送部２０３ａに繰り出された紙幣を紙幣取出口２１６ａより機外へ放出するようになっている。
【００４５】
出金リジェクト部２０４は、紙幣収納部２０６から繰り出された紙幣のうち、斜行等の搬送異常により紙幣識別部２０１で識別することができない紙幣を出金リジェクト紙幣として収納する。また、紙幣受入部２１４から筐体２１０内に取り込まれた紙幣のうち、汚損等により紙幣識別部２０１で識別することができない紙幣は入金リジェクト紙幣として紙幣払出部２１６に返却されるようになっている。
【００４６】
次に、棒金収納装置４００の構成について具体的に説明する。図１および図４に示すように、棒金収納装置４００は、手前側の側面が開口している筐体４１０と、筐体４１０内に収容可能となっているとともに当該筐体４１０から手前側に引き出し可能な収納ドロア４１２とを備えており、収納ドロア４１２には各金種の棒金硬貨が例えば２列で収納されるようになっている（図４において、収納ドロア４１２に収納された各金種の棒金硬貨を斜線で示している）。ここで、収納ドロア４１２には、所定金種の棒金硬貨を一本ずつ受け入れる収納部が形成されており、収納される棒金硬貨の金種毎の収納本数および位置が予め設定されている。具体的には、図４において参照符号Ａで示す領域には８本の１００円の棒金硬貨が収納可能となっており、参照符号Ｂで示す領域には１本の５００円の棒金硬貨が収納可能となっており、参照符号Ｃで示す領域には１本の５０円の棒金硬貨が収納可能となっている。また、図４において参照符号Ｄで示す領域には６本の１０円の棒金硬貨が収納可能となっており、参照符号Ｅで示す領域には４本の１円の棒金硬貨が収納可能となっており、参照符号Ｆで示す領域には１本の５円の棒金硬貨が収納可能となっている。
【００４７】
また、図２に示すように、棒金収納装置４００の筐体４１０の内部には、収納ドロア４１２が筐体４１０に完全に収容されたときに当該収納ドロア４１２を筐体４１０内にロックするためのロック部４１６が設けられている。ここで、ロック部４１６が収納ドロア４１２を筐体４１０内にロックしたときには、この収納ドロア４１２を筐体４１０から手前側に引き出すことができなくなり、よって収納ドロア４１２から棒金硬貨を取り出すことができなくなる。ロック部４１６によるロックが解除されると、図示されないバネ構造の付勢により収納ドロア４１２が筐体４１０の前面から手前側に若干量突出した状態となる。
【００４８】
また、棒金収納装置４００の筐体４１０における前面開口の近傍には、収納ドロア４１２が筐体４１０から手前側に引き出されたり筐体４１０の内部に戻されたりする際に当該収納ドロア４１２に収納されている棒金硬貨の金種毎の本数を検知する棒金検知部４１４が設けられている。具体的には、図２等に示すように、棒金検知部４１４は左右一対の光センサ４１４ａおよび筐体４１０からの収納ドロア４１２の引き出し量を検知するロータリエンコーダ４１４ｂを有している。ここで、各光センサ４１４ａは発光素子および受光素子を有しており、発光素子から発せられた光は、棒金収納装置４００の幅方向（図２における左右方向）に延びる光軸を通って受光素子に送られるようになっている。そして、収納ドロア４１２が筐体４１０内に完全に収容されていたり当該収納ドロア４１２が筐体４１０から完全に引き出されたりしているときには、各光センサ４１４ａにおいて発光素子から発せられた光は受光素子により受けられ、一方、収納ドロア４１２が筐体４１０から手前側に引き出されたり筐体４１０の内部に戻されたりする際に、発光素子から発せられた光が収納ドロア４１２内に収納された棒金硬貨により遮られることにより受光素子に届かなくなり、このことにより棒金硬貨の孔の有無や直径の大きさが検知されるようになる。前述したように、収納ドロア４１２において、収納される棒金硬貨の金種毎の収納本数および位置が予め設定されているため、光センサ４１４ａにより検知された棒金硬貨の孔の有無や直径の大きさ、ならびにロータリエンコーダ４１４ｂにより検知された筐体４１０からの収納ドロア４１２の引き出し量に基づいて、収納ドロア４１２に収納された棒金硬貨の金種毎の本数、および各棒金硬貨が収納ドロア４１２内の所定の位置に正しく収納されているか否か等が検知されるようになっている。
【００４９】
次に、ＰＯＳレジスタ３００の構成について具体的に説明する。ＰＯＳレジスタ３００のＰＯＳ制御部３３０は、図２に示すように、硬貨釣銭機１００の上位制御部１２０に通信可能に接続されているとともに、店舗サーバ等の上位端末（図示せず）にも通信接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の上位制御部１２０を介して棒金収納装置４００の棒金収納装置制御部４３０に指令を送ることによりロック部４１６による筐体４１０内での収納ドロア４１２のロックや当該ロックの解除を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【００５０】
操作部３０４は、操作者が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の内部に収納された硬貨や紙幣の在高等の情報を表示するようになっている。また、ＰＯＳレジスタ３００には客（購入者）が視認可能な追加の表示部３０２ａが設けられており、様々な情報を表示部３０２に表示させる代わりに、あるいは表示部３０２における表示に加えて、追加の表示部３０２ａにおいて表示が行われるようになっていてもよい。また、ＰＯＳレジスタ３００にはカードリーダ３３６および印字部３３８が設けられている（図３参照、図１および図２では図示せず）。カードリーダ３３６は、操作者のＩＤカードを読み取ることにより操作者のＩＤや権限等に関する情報を取得するようになっている。また、印字部３３８は例えばプリンタから構成され、売上レシートや集計レシートに加えて、硬貨釣銭機１００や紙幣釣銭機２００に収納された硬貨や紙幣の在高等の様々な情報を印字するようになっている。
【００５１】
図３に、上述のような構成からなる貨幣処理システムの機能ブロック図を示す。図３に示すように、硬貨釣銭機１００の上位制御部１２０には、硬貨釣銭機１００のインターフェース１３２、操作表示部１１２、音声部１１３および記憶部１３４が通信可能に接続されている。この上位制御部１２０は、インターフェース１３２により、紙幣釣銭機２００の紙幣釣銭機制御部２３０やＰＯＳレジスタ３００のＰＯＳ制御部３３０に対して信号の送受信を行うようになっている。また、操作者により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高が表示されるようになっている。また、音声部１１３は、音声により操作者に対して様々な通知を行うことができるようになっている。また、記憶部１３４には、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。また、硬貨釣銭機１００の上位制御部１２０には、在高管理手段１３６、補充可能量算出手段１３７および比較手段１３８がそれぞれ通信可能に接続されている。これらの在高管理手段１３６、補充可能量算出手段１３７および比較手段１３８の構成の詳細については後述する。
【００５２】
硬貨釣銭機１００の硬貨釣銭機制御部１３０には、硬貨受入部１１４、入金搬送部１０３、硬貨識別部１０１、分岐部１０４、硬貨収納部１０６、出金搬送部１０８、硬貨払出部１１６等がそれぞれ通信可能に接続されており、硬貨識別部１０１から硬貨釣銭機制御部１３０に硬貨の識別結果が送られるとともに、硬貨釣銭機制御部１３０から硬貨受入部１１４、入金搬送部１０３、分岐部１０４、硬貨収納部１０６、出金搬送部１０８、硬貨払出部１１６等の各々に対して様々な指令が送られるようになっている。また、硬貨釣銭機１００の硬貨釣銭機制御部１３０には、硬貨釣銭機１００の筐体１１０内に硬貨が取り込まれることを防止するための硬貨取込防止手段１１７が通信可能に接続されている。このような硬貨取込防止手段１１７の構成の詳細については後述する。
【００５３】
紙幣釣銭機２００の紙幣釣銭機制御部２３０には、インターフェース２３２、紙幣受入部２１４、周回搬送部２０３ａ、接続搬送部２０３ｂ、紙幣識別部２０１、紙幣収納部２０６、出金リジェクト部２０４、紙幣払出部２１６等がそれぞれ通信可能に接続されており、紙幣識別部２０１から紙幣釣銭機制御部２３０に紙幣の識別結果が送られるとともに、紙幣釣銭機制御部２３０から紙幣受入部２１４、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【００５４】
棒金収納装置４００の棒金収納装置制御部４３０には、インターフェース４３２、棒金検知部４１４、ロック部４１６、記憶部４３４等がそれぞれ通信可能に接続されており、棒金検知部４１４から収納ドロア４１２内の棒金硬貨の検知結果が棒金収納装置制御部４３０に送られるとともに、棒金収納装置制御部４３０からロック部４１６に対して収納ドロア４１２を筐体４１０内にロックするか否かの指令が送られるようになっている。また、棒金収納装置４００の棒金収納装置制御部４３０は、インターフェース４３２により、硬貨釣銭機１００の上位制御部１２０に対して信号の送受信を行うようになっている。また、記憶部４３４には、棒金収納装置４００の内部に収納された棒金硬貨の在高等の様々な情報が記憶されるようになっている。棒金収納装置４００の棒金収納装置制御部４３０には、棒金収納装置４００から取り出された棒金硬貨の硬貨量である取出量を検知するための取出量検知手段４３６が通信可能に接続されている。この取出量検知手段４３６の構成の詳細については後述する。
【００５５】
また、ＰＯＳレジスタ３００のＰＯＳ制御部３３０には、表示部３０２、操作部３０４、記憶部３３４、インターフェース３３２、カードリーダ３３６、印字部３３８等がそれぞれ通信可能に接続されており、操作者により操作部３０４に入力された指令が当該操作部３０４からＰＯＳ制御部３３０に送られたり、カードリーダ３３６により読み取られた操作者のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。なお、ＰＯＳ制御部３３０は、表示部３０２に様々な情報を表示させる代わりに、あるいは表示部３０２における表示に加えて、追加の表示部３０２ａにおいて表示を行わせるようになっていてもよい。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ等の上位端末（図示せず）に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。
【００５６】
本実施の形態では、上述したように、硬貨釣銭機１００の上位制御部１２０には、在高管理手段１３６、補充可能量算出手段１３７および比較手段１３８がそれぞれ通信可能に接続されており、また、棒金収納装置４００の棒金収納装置制御部４３０には、取出量検知手段４３６が通信可能に接続されている。在高管理手段１３６は、硬貨釣銭機１００、紙幣釣銭機２００および棒金収納装置４００に収納されているバラ硬貨、バラ紙幣および包装硬貨の在高を金種毎に管理するようになっている。具体的には、在高管理手段１３６は、硬貨釣銭機１００の硬貨識別部１０１や紙幣釣銭機２００の紙幣識別部２０１による硬貨や紙幣の識別結果に基づいて、各硬貨収納部１０６や各紙幣収納部２０６に収納されている金種毎の硬貨や紙幣の枚数をリアルタイムで把握するようになっている。また、在高管理手段１３６は、筐体４１０から収納ドロア４１２が引き出されたり当該収納ドロア４１２が筐体４１０の内部に戻されたりする際における棒金検知部４１４による棒金硬貨の検知情報に基づいて棒金収納装置４００に収納されている金種毎の棒金硬貨の本数をリアルタイムで把握するようになっている。また、補充可能量算出手段１３７は、在高管理手段１３６により管理されている在高に基づいて、硬貨釣銭機１００や紙幣釣銭機２００における硬貨や紙幣の補充可能量を金種毎に算出するようになっている。具体的には、補充可能量算出手段１３７は、各硬貨収納部１０６や各紙幣収納部２０６において金種毎に予め設定されている硬貨の最大収納量と、在高管理手段１３６により管理される、各硬貨収納部１０６や各紙幣収納部２０６に実際に収納されている金種毎の硬貨や紙幣の枚数との差を補充可能量としている。
【００５７】
なお、補充可能量算出手段１３７による硬貨や紙幣の補充可能量の算出方法は、上記の態様に限定されることはない。例えば、記憶部１３４において硬貨釣銭機１００の各硬貨収納部１０６や紙幣釣銭機２００の各紙幣収納部２０６に収納される硬貨や紙幣の収納適正量が金種毎に記憶されるようになっている場合には、補充可能量算出手段１３７は、記憶部１３４に記憶されている各硬貨収納部１０６や各紙幣収納部２０６の収納適正量と、在高管理手段１３６により管理される、各硬貨収納部１０６や各紙幣収納部２０６に実際に収納されている金種毎の硬貨や紙幣の枚数（在高）との差を補充可能量としてもよい。なお、記憶部１３４において記憶されている各硬貨収納部１０６や各紙幣収納部２０６の収納適正量は、各硬貨収納部１０６や各紙幣収納部２０６において金種毎に予め設定されている硬貨の最大収納量よりも小さな値（具体的には、補充処理後に入金処理が続けて行われてもフル状態にならないように、最大収納量の８割〜９割の大きさの値が用いられる。）となる。また、記憶部１３４に記憶されている各硬貨収納部１０６や各紙幣収納部２０６の収納適正量は、操作者が操作表示部１１２により変更することができるようになっている。
【００５８】
また、取出量検知手段４３６は、棒金検知部４１４により検知された、収納ドロア４１２内の棒金硬貨の金種毎の本数に基づいて、棒金収納装置４００から取り出された棒金硬貨の硬貨量である取出量を金種毎に検知するようになっている。具体的には、棒金硬貨の各金種について、筐体４１０から収納ドロア４１２が引き出されるときに棒金検知部４１４により検知される収納ドロア４１２内の棒金硬貨の本数から、筐体４１０内に収納ドロア４１２が戻されるときに棒金検知部４１４により検知される収納ドロア４１２内の棒金硬貨の本数を差し引くことにより、棒金硬貨の各金種についての取出量が検知されるようになる。
【００５９】
また、比較手段１３８は、補充可能量算出手段１３７により算出された、硬貨釣銭機１００の各硬貨収納部１０６における硬貨の補充可能量と、取出量検知手段４３６により検知された、棒金収納装置４００から取り出された棒金硬貨の取出量とを金種毎に比較するようになっている。そして、比較手段１３８において、硬貨の１つの金種でも補充可能量よりも取出量が多いと判断された場合には、操作表示部１１２や音声部１１３によりこのことが操作者に視覚的および／または聴覚的に警告されるようになる。具体的には、比較手段１３８において、ある金種について補充可能量よりも取出量が多いと判断された場合には、操作表示部１１２において、補充可能量よりも取出量が多い硬貨の金種および補充可能量と取出量との差分に関する情報が表示されたり、音声部１１３において棒金収納装置４００からの棒金硬貨の取出量が多すぎる旨のメッセージが読み上げられたりする。操作表示部１１２における表示内容の詳細については後述する。
【００６０】
また、本実施の形態では、比較手段１３８において、硬貨の１つの金種でも補充可能量よりも取出量が多いと判断された場合には、収納ドロア４１２が筐体４１０から引き出された状態から当該筐体４１０内に戻されて収容されてもロック部４１６により収納ドロア４１２を筐体４１０内にロックしないよう、棒金収納装置制御部４３０はロック部４１６の制御を行うようになっている。このように、硬貨の１つの金種でも補充可能量よりも取出量が多いと判断された場合には、操作者が収納ドロア４１２を筐体４１０内に戻してもロック部４１６により当該収納ドロア４１２が筐体４１０内にロックされずに筐体４１０の前面から前方に若干突出するので、操作者は棒金収納装置４００からの棒金硬貨の取り出し量が多すぎることを認識することができるようになる。
【００６１】
また、本実施の形態では、比較手段１３８において、硬貨の１つの金種でも補充可能量よりも取出量が多いと判断された場合には、硬貨取込防止手段１１７により、硬貨釣銭機１００の筐体１１０内に硬貨が取り込まれることを防止するようになっている。具体的には、比較手段１３８において、硬貨の１つの金種でも補充可能量よりも取出量が多いと判断された場合には、硬貨取込防止手段１１７は硬貨受入部１１４に設けられたシャッタ１１８を閉じることにより、操作者が硬貨投入口に硬貨を投入することができないようにする。なお、すでにシャッタ１１８が閉じられていた場合には、閉鎖状態が維持される。また、硬貨投入口にシャッタ１１８が設けられていない場合等には、硬貨取込防止手段１１７は、シャッタ１１８により硬貨投入口を閉じる代わりに、硬貨の投入が検知されても硬貨受入部１１４に設けられた繰出ベルトを動作させないことにより、硬貨受入部１１４に受け入れられた硬貨を筐体１１０の内部に繰り出させないようにしてもよい。このような硬貨取込防止手段１１７の機能により、硬貨釣銭機１００において各硬貨収納部１０６に収納することのできないような硬貨が硬貨受入部１１４から筐体１１０内に繰り出されることを防止することができるようになる。
【００６２】
次に、このような構成からなる貨幣処理システムの動作について説明する。なお、以下に示す貨幣処理システムの動作は、硬貨釣銭機１００の硬貨釣銭機制御部１３０や紙幣釣銭機２００の紙幣釣銭機制御部２３０が硬貨釣銭機１００や紙幣釣銭機２００の各構成部材をそれぞれ制御することにより行われる。
【００６３】
まず、硬貨釣銭機１００に硬貨を入金する場合の動作について以下に説明する。硬貨釣銭機１００の硬貨受入部１１４に硬貨が受け入れられると、硬貨受入部１１４は、受け入れた硬貨を１層１列状態で１枚ずつ筐体１１０内に取り込み、取り込まれた硬貨は入金搬送部１０３により搬送される。そして、入金搬送部１０３により搬送される硬貨は硬貨識別部１０１により硬貨の識別が行われる。硬貨識別部１０１による硬貨の識別結果に基づいて、リジェクト硬貨等の、硬貨払出部１１６から払い出されるべき硬貨であると識別された硬貨は、分岐部１０４により出金搬送部１０８へ案内（搬送）され、出金搬送部１０８により硬貨払出部１１６に搬送される。一方、硬貨識別部１０１による硬貨の識別結果に基づいて、正常硬貨等の筐体１１０内に収納されるべき硬貨であると識別された硬貨は、入金搬送部１０３により硬貨収納部１０６へ搬送され、当該硬貨収納部１０６に金種別に収納される。
【００６４】
また、硬貨釣銭機１００から釣銭としての硬貨を出金する場合には、操作者は操作表示部１１２により出金されるべき硬貨の金種別の枚数や合計金額等を入力する。あるいは、ＰＯＳレジスタ３００のＰＯＳ制御部３３０から出金指令が上位制御部１２０を介して硬貨釣銭機制御部１３０に送られることにより、硬貨釣銭機１００から釣銭としての硬貨が出金されるようになる。硬貨釣銭機制御部１３０に対して出金指令が与えられると、硬貨収納部１０６に収納されている硬貨が当該硬貨収納部１０６から繰り出され、繰り出された硬貨は出金搬送部１０８により硬貨払出部１１６へ搬送される。このようにして、操作者は、硬貨払出部１１６から硬貨を取り出すことができるようになる。
【００６５】
次に、紙幣釣銭機２００に紙幣を入金する場合の動作について以下に説明する。紙幣受入部２１４の紙幣受入口２１４ａに紙幣が挿入されると、紙幣受入部２１４は、紙幣受入口２１４ａに挿入された入金紙幣を一括で取り込んで、周回搬送部２０３ａ側へ１枚ずつ繰り出す。そして、周回搬送部２０３ａ側へ繰り出された紙幣は当該周回搬送部２０３ａにより搬送され、この際に紙幣識別部２０１により紙幣の識別が行われる。紙幣識別部２０１により正常な紙幣であると識別された紙幣は、各紙幣収納部２０６に金種別に収納される。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【００６６】
また、当該紙幣釣銭機２００から釣銭としての紙幣を出金する場合には、操作者は操作表示部１１２により出金されるべき紙幣の金種別の枚数や合計金額等を入力する。あるいは、ＰＯＳレジスタ３００のＰＯＳ制御部３３０から出金指令が上位制御部１２０を介して紙幣釣銭機制御部２３０に送られることにより、紙幣釣銭機２００から釣銭としての紙幣が出金されるようになる。紙幣釣銭機制御部２３０に対して出金指令が与えられると、紙幣収納部２０６に収納されている紙幣が当該紙幣収納部２０６から繰り出され、繰り出された紙幣は紙幣識別部２０１により識別された後、周回搬送部２０３ａにより紙幣払出部２１６に送られる。そして、紙幣払出部２１６は、紙幣収納部２０６から送られた紙幣を紙幣取出口２１６ａより筐体２１０外へ放出する。このようにして、操作者は、紙幣釣銭機２００から出金された紙幣を得ることができるようになる。なお、紙幣収納部２０６から繰り出された紙幣のうち、斜行等の搬送異常により紙幣識別部２０１で識別することができない紙幣は、出金リジェクト紙幣として出金リジェクト部２０４に収納される。
【００６７】
また、硬貨釣銭機１００において釣銭として出金されるべき硬貨が不足している場合には、操作者は棒金収納装置４００から棒金硬貨を取り出し、この取り出された棒金硬貨のフィルムや包装紙等の包装を解くことによりバラ硬貨とし、当該バラ硬貨を硬貨釣銭機１００の硬貨受入部１１４に投入することにより硬貨の補充処理を行う。このような硬貨の補充処理方法について図５に示すフローチャートおよび図６に示す硬貨釣銭機１００の操作表示部１１２における表示内容を用いて説明する。
【００６８】
貨幣処理システムの待機状態において、図６（ａ）に示すように、硬貨釣銭機１００の操作表示部１１２には、硬貨釣銭機１００、紙幣釣銭機２００および棒金収納装置４００における硬貨、紙幣、棒金硬貨の金種毎の在高情報が表示されるようになっている。また、硬貨釣銭機１００や紙幣釣銭機２００において、釣銭として出金されるべき硬貨や紙幣が不足している場合には、このことが操作表示部１１２に表示されるようになっている。具体的には、硬貨釣銭機１００については、各金種について硬貨収納部１０６に収納されている硬貨の枚数が１０枚よりも少なくなった場合には、操作表示部１１２において当該金種の硬貨が不足している旨の情報が表示される。例えば、操作表示部１１２における表示画面が図６（ａ）に示すようなものとなっているときには、硬貨釣銭機１００において釣銭として１００円硬貨が不足している。
【００６９】
また、図６（ａ）に示すように、操作表示部１１２において、硬貨釣銭機１００に収納される硬貨の各金種について、補充可能な棒金硬貨の本数が各硬貨収納部１０６の在高の下に表示されるようになっている。具体的には、図６（ａ）に示す例では、硬貨釣銭機１００に対して１００円の棒金硬貨３本分に相当する１５０枚の１００円硬貨および１円の棒金硬貨２本に相当する１００枚の１円硬貨を補充することができるようになる。一方、５００円、５０円、１０円、５円の各金種については、補充可能本数が０本である旨が操作表示部１１２に表示されており、これらの５００円、５０円、１０円、５円の各金種については棒金収納装置４００から棒金硬貨を取り出してバラ硬貨とした後に硬貨釣銭機１００に投入すると硬貨収納部１０６が満杯になってしまい当該金種の全ての硬貨を硬貨収納部１０６に収納することができないことがわかる。
【００７０】
操作者が硬貨釣銭機１００への硬貨の補充処理を行う場合には、まず操作表示部１１２により補充処理開始の指令を上位制御部１２０に与える（ＳＴＥＰ１）。補充処理開始の指令が上位制御部１２０に与えられると、補充可能量算出手段１３７により、硬貨釣銭機１００の各硬貨収納部１０６における硬貨の補充可能量が金種毎に算出される。また、硬貨釣銭機１００において釣銭としての硬貨の補充が必要であるか否かの判断が上位制御部１２０において行われる（ＳＴＥＰ２）。具体的には、硬貨釣銭機１００において少なくとも１つの金種について硬貨収納部１０６に収納されている硬貨の枚数が所定の枚数よりも少ない場合には、硬貨釣銭機１００において釣銭としての硬貨の補充が必要であると上位制御部１２０により判断され（ＳＴＥＰ２の「ＹＥＳ」）、ロック部４１６による筐体４１０内での収納ドロア４１２のロックを解除する旨の指令が上位制御部１２０から棒金収納装置制御部４３０に送られる。このことにより、ロック部４１６による筐体４１０内での収納ドロア４１２のロックが解除される（ＳＴＥＰ４）。一方、硬貨釣銭機１００において硬貨収納部１０６に収納されている硬貨の枚数が全ての金種について所定の枚数以上である場合には、硬貨釣銭機１００において釣銭としての硬貨の補充が必要ではないと上位制御部１２０により判断され（ＳＴＥＰ２の「ＮＯ」）、ロック部４１６による筐体４１０内での収納ドロア４１２のロックは解除されない（ＳＴＥＰ３）。このように、硬貨釣銭機１００において釣銭としての硬貨の補充が必要ではないと上位制御部１２０により判断された場合には、硬貨釣銭機１００への硬貨の補充処理は行われないようになる。
【００７１】
ＳＴＥＰ４に示すようにロック部４１６による筐体４１０内での収納ドロア４１２のロックが解除されると、操作者は筐体４１０から収納ドロア４１２を手前側に引き出し、硬貨釣銭機１００に補充すべき硬貨の金種に対応する棒金硬貨を収納ドロア４１２から取り出す。その後、操作者は収納ドロア４１２を筐体４１０の内部に押し込んで筐体４１０内に収容させようとする。この際に、取出量検知手段４３６は、棒金硬貨の各金種について、筐体４１０から収納ドロア４１２が引き出されるときに棒金検知部４１４により検知される収納ドロア４１２内の棒金硬貨の本数から、筐体４１０内に収納ドロア４１２が戻されるときに棒金検知部４１４により検知される収納ドロア４１２内の棒金硬貨の本数を差し引くことにより、棒金硬貨の各金種についての取出量を検知する（ＳＴＥＰ５）。
【００７２】
棒金硬貨の各金種についての取出量が検知されると、比較手段１３８により、補充可能量算出手段１３７により算出された、硬貨釣銭機１００の各硬貨収納部１０６における硬貨の補充可能量と、取出量検知手段４３６により検知された、棒金収納装置４００から取り出された棒金硬貨の取出量とが金種毎に比較される（ＳＴＥＰ６）。そして、全ての金種について取出量が補充可能量よりも少ない場合には（ＳＴＥＰ６の「ＹＥＳ」）、上位制御部１２０は硬貨釣銭機１００において筐体１１０内に硬貨が取り込まれることを認容する（ＳＴＥＰ７）。具体的には、硬貨受入部１１４においてシャッタ１１８を開くことにより硬貨投入口に硬貨を投入することができるようにし、また、硬貨の投入を検知すると硬貨受入部１１４の繰出ベルトを動作させることにより当該硬貨受入部１１４に投入された硬貨を筐体１１０内に１枚ずつ繰り出すようにする。また、全ての金種について取出量が補充可能量よりも少ない場合には、棒金収納装置４００において収納ドロア４１２が筐体４１０内に収容されたときにロック部４１６が収納ドロア４１２を筐体４１０内でロックするようにする。
【００７３】
一方、比較手段１３８において硬貨釣銭機１００における補充可能量と棒金硬貨の取出量とを金種毎に比較したときに、硬貨の１つの金種でも補充可能量よりも取出量が多いと判断された場合には（ＳＴＥＰ６の「ＮＯ」）、棒金収納装置４００から取り出された棒金硬貨の包装を解いてバラ硬貨としても、当該金種のバラ硬貨を硬貨釣銭機１００に収納しきれないおそれがあり、硬貨釣銭機１００に収納しきれずに返却されたバラ硬貨の保管に困るという問題が生じてしまう。このため、比較手段１３８において硬貨の１つの金種でも補充可能量よりも取出量が多いと判断された場合には、硬貨釣銭機１００において硬貨取込防止手段１１７により筐体１１０内に硬貨が取り込まれることを防止する（ＳＴＥＰ８）。具体的には、硬貨取込防止手段１１７は硬貨受入部１１４に設けられたシャッタ１１８を閉じることにより、操作者が硬貨投入口に硬貨を投入することができないようにする。また、硬貨取込防止手段１１７は、シャッタ１１８により硬貨投入口を閉じる代わりに、硬貨受入部１１４に設けられた繰出ベルトを動作させないことにより、硬貨受入部１１４に受け入れられた硬貨を筐体１１０の内部に繰り出させないようにしてもよい。このようにして、硬貨釣銭機１００において各硬貨収納部１０６に収納することのできないような硬貨が硬貨受入部１１４から筐体１１０内に繰り出されることを防止することができるようになる。
【００７４】
また、比較手段１３８において硬貨の１つの金種でも補充可能量よりも取出量が多いと判断された場合には、棒金収納装置４００において収納ドロア４１２が筐体４１０内に戻されてもロック部４１６が収納ドロア４１２のロックを行わないよう、棒金収納装置制御部４３０がロック部４１６を制御するようにする（ＳＴＥＰ９）。この場合には、操作者が収納ドロア４１２を筐体４１０内に戻してもロック部４１６により当該収納ドロア４１２が筐体４１０内にロックされないで筐体４１０の前面から前方に若干突出するので、操作者は棒金収納装置４００からの棒金硬貨の取り出し量が多すぎることを認識することができるようになる。
【００７５】
また、比較手段１３８において硬貨の１つの金種でも補充可能量よりも取出量が多いと判断された場合には、操作表示部１１２において操作者に対して警告表示を行う（ＳＴＥＰ１０）。具体的には、図６（ｂ）に示すように、操作表示部１１２には「棒金を取り出し過ぎています。取り出し過ぎた棒金を戻してください。」というメッセージが表示されるとともに、収納ドロア４１２に戻すべき棒金硬貨の金種毎の本数が操作表示部１１２に表示されるようになる。警告表示によって棒金硬貨の取り出し過ぎに気づいた操作者が取り出し過ぎた棒金硬貨を収納ドロア４１２に戻すことによって全ての金種について取出量が補充可能量よりも少なくなった場合には（ＳＴＥＰ６の「ＹＥＳ」）、上位制御部１２０は硬貨釣銭機１００において筐体１１０内に硬貨が取り込まれることを認容する（ＳＴＥＰ７）。なお、取り出し過ぎた棒金硬貨を操作者が収納ドロア４１２に戻した後、収納ドロア４１２を筐体４１０内に戻すことによって取出量検知手段４３６により棒金硬貨の取出量が再び検知されたときに、依然として比較手段１３８において硬貨の１つの金種でも補充可能量よりも取出量が多いと判断された場合には、操作表示部１１２における警告表示の内容が変わるようになっていてもよい。
【００７６】
比較手段１３８において硬貨の１つの金種でも補充可能量よりも取出量が多いと判断された場合に操作表示部１１２に表示されるメッセージは図６（ｂ）に示すようなものに限定されることはない。操作者により棒金収納装置４００から棒金硬貨が取り出される際に、硬貨釣銭機１００に補充されるべき硬貨の金種とは異なる金種の棒金硬貨が誤って取り出されてしまった場合には、図６（ｃ）に示すように、「取り出した棒金が間違っています。」というメッセージが表示されるとともに、収納ドロア４１２に戻すべき棒金硬貨の金種毎の本数および収納ドロア４１２から取り出されるべき棒金硬貨の金種毎の本数がそれぞれ操作表示部１１２に表示されるようになっていてもよい。
【００７７】
また、比較手段１３８において硬貨の１つの金種でも補充可能量よりも取出量が多いと判断された場合に、操作表示部１１２において操作者に対して警告表示を行う代わりに、あるいは操作表示部１１２による警告表示に加えて、音声部１１３により操作者に対して聴覚的に警告がなされるようになっていてもよい。
【００７８】
以上のような構成からなる本実施の形態の貨幣処理システムによれば、硬貨釣銭機１００に収納されている硬貨の在高を在高管理手段１３６により管理し、在高管理手段１３６により管理される在高に基づいて硬貨釣銭機１００における硬貨の補充可能量を補充可能量算出手段１３７により算出し、棒金収納装置４００から取り出された棒金硬貨の硬貨量である取出量を取出量検知手段４３６により検知し、補充可能量算出手段１３７により算出された補充可能量と取出量検知手段４３６により検知された取出量とを比較手段１３８により比較するようになっている。このように、硬貨釣銭機１００における硬貨の補充可能量と、棒金収納装置４００から取り出された棒金硬貨の硬貨量である取出量とを比較することによって、硬貨釣銭機１００における硬貨の補充可能量よりも多くの硬貨量の棒金硬貨を操作者が誤って棒金収納装置４００から取り出してしまったときにこのことを当該操作者に認識させることができ、よって硬貨釣銭機１００に補充することができないバラ硬貨が発生してしまうことを防止することができる。
【００７９】
また、本実施の形態の貨幣処理システムにおいては、上述したように、在高管理手段１３６は、硬貨釣銭機１００に収納されている硬貨の在高を金種毎に管理するようになっており、補充可能量算出手段１３７は、上記の補充可能量を金種毎に算出するようになっており、取出量検知手段４３６は、上記の取出量を金種毎に検知するようになっており、比較手段１３８は、補充可能量と取出量とを金種毎に比較するようになっている。この場合には、硬貨の１つの金種でも補充可能量より取出量が多いと比較手段１３８により判断されたときにはこのことを操作者に認識させることができるため、硬貨の各金種について硬貨釣銭機１００に補充することができないバラ硬貨が発生してしまうことを防止することができる。
【００８０】
また、本実施の形態の貨幣処理システムにおいては、上述したように、比較手段１３８において補充可能量よりも取出量が多いと判断された場合にこのことを操作者に警告するための警告手段が設けられている。具体的には、警告手段として、操作者に視覚的に警告するための操作表示部１１２や、操作者に聴覚的に警告するための音声部１１３が用いられるようになっている。このような操作表示部１１２や音声部１１３等からなる警告手段が設けられていることにより、硬貨釣銭機１００における硬貨の補充可能量よりも多くの硬貨量の棒金硬貨を操作者が誤って棒金収納装置４００から取り出してしまったときにこのことを当該操作者に確実に認識させることができるようになる。
【００８１】
また、本実施の形態の貨幣処理システムにおいては、上述したように、棒金収納装置４００は、当該棒金収納装置４００の筐体４１０から引き出し可能であり棒金硬貨の収納を行う収納ドロア４１２および収納ドロア４１２が筐体４１０に収容されたときに当該収納ドロア４１２を筐体４１０内にロックするためのロック部４１６を有しており、比較手段１３８において補充可能量よりも取出量が多いと判断された場合に、棒金収納装置４００において収納ドロア４１２が筐体４１０に収容されてもロック部４１６により収納ドロア４１２を筐体４１０内にロックしないよう棒金収納装置制御部４３０により当該ロック部４１６の制御が行われるようになっている。この場合には、操作者が収納ドロア４１２を筐体４１０内に戻してもロック部４１６により当該収納ドロア４１２が筐体４１０内にロックされないので、操作者は棒金収納装置４００からの棒金硬貨の取り出し量が多すぎることを認識することができるようになる。
【００８２】
また、本実施の形態の貨幣処理システムにおいては、上述したように、比較手段１３８において補充可能量よりも取出量が多いと判断された場合に、硬貨釣銭機１００の筐体１１０内に硬貨が取り込まれることを防止する硬貨取込防止手段１１７が設けられている。具体的には、硬貨取込防止手段１１７は、比較手段１３８において補充可能量よりも取出量が多いと判断された場合に、硬貨釣銭機１００のシャッタ１１８を閉じて硬貨投入口への硬貨の投入を防止したり、硬貨釣銭機１００の硬貨受入部１１４に設けられた繰出ベルト等の繰出部を動作させなかったりするようになっている。この場合には、硬貨釣銭機１００における硬貨の補充可能量よりも多くの硬貨量の棒金硬貨を操作者が誤って棒金収納装置４００から取り出してしまったときでも、この棒金硬貨の包装を解くことにより得られるバラ硬貨が硬貨釣銭機１００の筐体１１０内に取り込まれることを防止することができる。
【００８３】
また、本実施の形態の貨幣処理システムにおいては、上述したように、硬貨釣銭機１００に収納される硬貨の最大収納量が予め設定されており、補充可能量算出手段１３７は、予め設定された最大収納量と、在高管理手段１３６により管理される在高とに基づいて補充可能量を算出するようになっている。あるいは、硬貨釣銭機１００に収納される硬貨の収納適正量が記憶部１３４に記憶されており、補充可能量算出手段１３７は、記憶部１３４に記憶されている収納適正量と、在高管理手段１３６により管理される在高とに基づいて前記補充可能量を算出するようになっていてもよい。
【００８４】
なお、本実施の形態による貨幣処理システムは、上述したような態様に限定されることはなく、様々な変更を加えることができる。
【００８５】
例えば、上記の説明では、硬貨釣銭機１００、紙幣釣銭機２００、棒金収納装置４００およびＰＯＳレジスタ３００を備えた貨幣処理システムについて述べたが、本実施の形態による貨幣処理システムはこのような態様のものに限定されることはない。本実施の形態による貨幣処理システムの他の例として、硬貨釣銭機１００、紙幣釣銭機２００および棒金収納装置４００を備えたもの（すなわち、ＰＯＳレジスタ３００が設けられていないもの）が用いられてもよい。また、本実施の形態による貨幣処理システムの更に他の例として、硬貨釣銭機１００、棒金収納装置４００およびＰＯＳレジスタ３００を備えたもの（すなわち、紙幣釣銭機２００が設けられていないもの）や、硬貨釣銭機１００および棒金収納装置４００を備えたもの（すなわち、紙幣釣銭機２００およびＰＯＳレジスタ３００が設けられていないもの）が用いられてもよい。また、硬貨釣銭機１００の代わりに、硬貨の出金処理のみを行う出金専用機が用いられてもよい。
【００８６】
また、上記の説明では、硬貨釣銭機１００、紙幣釣銭機２００および棒金収納装置４００が一体となった貨幣処理システムについて述べたが、本実施の形態による貨幣処理システムはこのような態様のものに限定されることはない。本実施の形態による貨幣処理システムの他の例として、硬貨釣銭機１００および紙幣釣銭機２００からなる貨幣釣銭機と、棒金収納装置４００とが別体で設けられたものが用いられてもよい。また、本実施の形態による貨幣処理システムの更に他の例として、硬貨釣銭機１００や紙幣釣銭機２００、棒金収納装置４００を複数接続したものを用いてもよい。
【００８７】
また、上記の説明では、在高管理手段１３６、補充可能量算出手段１３７および比較手段１３８が硬貨釣銭機１００に設けられるとともに取出量検知手段４３６が棒金収納装置４００に設けられた貨幣処理システムについて述べたが、本実施の形態による貨幣処理システムはこのような態様のものに限定されることはない。本実施の形態による貨幣処理システムの他の例として、在高管理手段１３６、補充可能量算出手段１３７、比較手段１３８および取出量検知手段４３６の全てが硬貨釣銭機１００および棒金収納装置４００のうちいずれか一方に設けられたものが用いられもよい。また、本実施の形態による貨幣処理システムの更に他の例として、在高管理手段１３６、補充可能量算出手段１３７、比較手段１３８および取出量検知手段４３６の全てがＰＯＳレジスタ３００に設けられたものが用いられもよい。
【００８８】
また、本実施の形態では、複数の貨幣処理システムの間で、ＩＣカード等の外部媒体を用いることによりデータの交換が行われるようになっていてもよい。この場合には、比較手段１３８が硬貨釣銭機１００に設けられる代わりに、ＩＣカード等の外部媒体に比較手段１３８が設けられるようになっていてもよい。このことにより、ある貨幣処理システムの棒金収納装置４００から取り出された棒金硬貨の包装を解いて得られたバラ硬貨が他の貨幣処理システムの硬貨釣銭機１００に補充される際に、棒金収納装置４００から取り出された棒金硬貨が多すぎるか否かを外部媒体に設けられた比較手段１３８により判断することができるようになる。
【００８９】
また、上記の説明では、比較手段１３８において補充可能量よりも取出量が多いと判断された場合にこのことを操作者に警告するための警告手段として、硬貨釣銭機１００に設けられた操作表示部１１２や音声部１１３が用いられる貨幣処理システムについて述べたが、本実施の形態による貨幣処理システムはこのような態様のものに限定されることはない。本実施の形態による貨幣処理システムの他の例として、比較手段１３８において補充可能量よりも取出量が多いと判断された場合に、ＰＯＳレジスタ３００の表示部３０２に警告表示を行ったり、ＰＯＳレジスタ３００に設けられた音声部（図示せず）により操作者に対して聴覚的に警告を行ったりするようにしてもよい。あるいは、比較手段１３８において補充可能量よりも取出量が多いと判断された場合に、ＰＯＳレジスタ３００のＰＯＳ制御部３３０から店舗サーバ等の上位端末にこのことが通知されるようになっていてもよい。
【００９０】
また、上記の説明では、棒金収納装置４００において、収納ドロア４１２に収納されている棒金硬貨の金種毎の本数を検知する棒金検知部４１４として、筐体４１０における前面開口の近傍に設けられた左右一対の光センサ４１４ａおよび筐体４１０からの収納ドロア４１２の引き出し量を検知するロータリエンコーダ４１４ｂを有するものが用いられることを述べたが、収納ドロア４１２に収納されている棒金硬貨の金種毎の本数を検知する棒金検知部はこのような例に限定されることはない。図７に示すように、収納ドロア４１２において各棒金硬貨が収納されるべき箇所にそれぞれ棒金検知部４１５が各棒金硬貨に対応して設けられていてもよい。これらの棒金検知部４１５には、棒金硬貨の有無検知に加えて、棒金硬貨の材質に基づいて棒金硬貨の金種を特定する機能が備えられている。この場合には、収納ドロア４１２に棒金硬貨が収納されると、対応する棒金検知部４１５によりこのことが検知されるようになるため、収納ドロア４１２を筐体４１０から手前側に引き出したり筐体４１０の内部に戻したりしなくても、収納ドロア４１２から棒金硬貨を取り出したり収納ドロア４１２に棒金硬貨を戻したりした時点で棒金硬貨の有無の検知を行うことができるようになる。このため、図７に示すような棒金収納装置４００では、収納ドロア４１２が筐体４１０から引き出された後、硬貨釣銭機１００に補充することができないような誤った棒金硬貨が収納ドロア４１２から取り出された時点で操作表示部１１２や音声部１１３により操作者に対して即座に警告を行うことができるようになり、操作者がこの誤って取り出された棒金硬貨を収納ドロア４１２に戻すとこのような警告が解除されるようになる。また、図７に示すような棒金収納装置４００では、収納ドロア４１２が筐体４１０から完全に引き出された後、比較手段１３８において補充可能量よりも取出量が多いと判断された場合に、警告表示に加えて収納ドロア４１２を筐体４１０から引き出された位置で固定して当該筐体４１０に戻すことができないようになっていてもよい。この場合には、収納ドロア４１２を移動させることができないため操作者は誤った棒金硬貨を収納ドロア４１２から取り出したことを認識することができるようになる。
【００９１】
〔第２の実施の形態〕
以下、図面を参照して本発明の第２の実施の形態について説明する。図８乃至図１１は、第２の実施の形態による貨幣処理システムを示す図である。このうち、図８は、本実施の形態による貨幣処理システムの出納機および貨幣管理装置の構成を示す斜視図であり、図９および図１０は、それぞれ、図８に示す貨幣処理システムにおける貨幣管理装置の第２紙幣収納ドロアおよび第２硬貨収納ドロアの構成を示す斜視図である。また、図１１は、図８に示す貨幣処理システムの制御系の構成を示す機能ブロック図である。
【００９２】
図８に示すように、第２の実施の形態による貨幣処理システム６００は、互いに通信可能に接続された出納機７００と貨幣管理装置８００（現金バスとも呼ばれる）とを備えており、例えば金融機関に設置されるシステムである。なお、図８では１台の出納機７００と１台の貨幣管理装置８００とが通信可能に接続された例が示されているが、１台の出納機７００に対して、複数台の貨幣管理装置８００が通信可能に接続されていてもよい。
【００９３】
出納機７００は、帯封紙幣（１００枚束）を処理する帯封紙幣処理部Ｐ１およびバラ紙幣を処理するバラ紙幣処理部Ｐ２からなる紙幣処理装置７１１と、バラ硬貨を処理するバラ硬貨処理部７１２と、棒金硬貨を処理する棒金硬貨処理部７１３とを備えている。図８において、参照符号７２１は帯封紙幣を出金する帯封紙幣出金口、参照符号７２２はバラ紙幣を出金するバラ紙幣出金口、参照符号７２３は棒金硬貨を出金する棒金硬貨出金口、参照符号７２４はバラ硬貨を出金するバラ硬貨出金口をそれぞれ示している。
【００９４】
また、この出納機７００は、現金以外の有価証券類を投入する現金外ボックス７１４、出納機７００の各構成部材を制御する制御部７１５（図１１参照）、制御部７１５に各種の指示を与えるキーボード式操作部７１６、制御部７１５による指示に従って印字処理を行う外部プリンタ７１８を備えている。外部プリンタ７１８は、レシート発行装置として機能するようになっている。
【００９５】
また、制御部７１５には、営業員および管理者とのインターフェースとしての表示部７１５ａと、営業員および管理者が所持するＩＤカードの内容を読み取るカードリーダ７１５ｂとがそれぞれ通信可能に接続されている。
【００９６】
また、図１１に示すように、制御部７１５には、出納機７００におけるバラ硬貨、バラ紙幣、棒金硬貨、帯封紙幣の在高等の情報を記憶する記憶部７１５ｃや、貨幣管理装置８００との間で信号の送受信を行うためのインターフェース７１９がそれぞれ通信可能に接続されている。
【００９７】
また、制御部７１５には、在高管理手段７２０、補充可能量算出手段７２２および比較手段７２４がそれぞれ通信可能に接続されている。これらの在高管理手段７２０、補充可能量算出手段７２２および比較手段７２４の構成の詳細については後述する。
【００９８】
図８に示すように、貨幣管理装置８００は、１万円の帯封紙幣（１００枚束以外に、１０束の１００枚束を帯封した大束紙幣も収納可能）を収納保管する第１紙幣収納ドロア８１１と、その他の金種の帯封紙幣を収納保管する第２紙幣収納ドロア８１２と、１００円と１０円と１円の棒金硬貨を収納保管する第１硬貨収納ドロア８１３と、５００円と５０円と５円の棒金硬貨を収納保管する第２硬貨収納ドロア８１４と、現金以外の有価証券類を投入することができる予備収納ドロア８１５とを備えている。
【００９９】
また、この貨幣管理装置８００は、当該貨幣管理装置８００の各構成部材を制御する制御部８２５（図１１参照）と、制御部８２５に各種の指示を与えるキーボード式操作部８２６と、使用者（営業員および管理者）とのインターフェースとしての表示部８２７と、収納庫に貨幣を入出する操作を行う使用者が所持するＩＤカードの内容を読み取るカードリーダ８２８とを備えている。
【０１００】
図９は、貨幣管理装置８００の第２紙幣収納ドロア８１２の斜視図である。図９に示すように、第２紙幣収納ドロア８１２には、３種類の金種の帯封紙幣が規則正しく収納保管される。図９の例では、第２紙幣収納ドロア８１２の内部に、４つの紙幣保管容器８２１〜８２４が配置されており、各容器毎に、収納保管される帯封紙幣の金種が決められている。なお、図９では第２紙幣収納ドロア８１２の構成について示されているが、第１紙幣収納ドロア８１１も図９に示すような第２紙幣収納ドロア８１２と同様の構成となっている。
【０１０１】
図１０は、貨幣管理装置８００の第２硬貨収納ドロア８１４の斜視図である。図１０に示すように、第２硬貨収納ドロア８１４には、３種類の金種の棒金硬貨が規則正しく収納保管される。図１０の例では、第２硬貨収納ドロア８１４の内部に、３つの硬貨保管容器８４１〜８４３が配置されており、各容器毎に、収納保管される棒金硬貨の金種が決められている。なお、図１０では第２硬貨収納ドロア８１４の構成について示されているが、第１硬貨収納ドロア８１３も図１０に示すような第２硬貨収納ドロア８１４と同様の構成となっている。
【０１０２】
また、第２硬貨収納ドロア８１４において、各硬貨保管容器８４１〜８４３内に収納保管されている棒金硬貨の重量を測定するための測定手段としてロードセル８１４ｒ（図１１参照）が設けられている。制御部８２５は、ロードセル８１４ｒにより測定される棒金硬貨の重量に基づいて、各硬貨保管容器８４１〜８４３内に収納保管されている棒金硬貨の在高を検知するようになっている。また、第２硬貨収納ドロア８１４以外の第１紙幣収納ドロア８１１、第２紙幣収納ドロア８１２および第１硬貨収納ドロア８１３にも、各硬貨保管容器や各紙幣保管容器に収納保管されている棒金硬貨や帯封紙幣の重量を測定するための測定手段としてロードセル８１１ｒ〜８１３ｒが設けられており、制御部８２５は、これらのロードセル８１１ｒ〜８１３ｒによる測定結果（金種毎の重量）に基づいて第１紙幣収納ドロア８１１、第２紙幣収納ドロア８１２および第１硬貨収納ドロア８１３における棒金硬貨や帯封紙幣の在高（金種毎の本数や束数、および金額）を検知するようになっている。
【０１０３】
また、図１１に示すように、制御部８２５には、貨幣管理装置８００における棒金硬貨や帯封紙幣の在高等の情報を記憶する記憶部８２５ａや、出納機７００との間で信号の送受信を行うためのインターフェース８２９がそれぞれ通信可能に接続されている。
【０１０４】
また、本実施の形態では、ロック制御手段として各ドロア８１１〜８１５に開閉電磁ロック８１１ｍ〜８１５ｍが設けられており、これらの開閉電磁ロック８１１ｍ〜８１５ｍにより、各ドロア８１１〜８１５を、貨幣の入出が可能な開状態と貨幣の入出が不可能なロック状態との間で切り替えることができるようになっている。
【０１０５】
この切替制御の条件として、本実施の形態では、使用者照合が採用されている。具体的には、例えば、予め許可者として設定された使用者のＩＤ情報が記憶部８２５ａに記憶されていて、カードリーダ８２８が読み取ったＩＤ情報が、許可者のＩＤ情報に対して照合されるようになっている。照合の結果がＹＥＳである、すなわち、カードリーダ８２８が読み取ったＩＤ情報が、予め許可者として設定された使用者のＩＤ情報に合致する場合にのみ、制御部８２５は、開閉電磁ロック８１１ｍ〜８１５ｍを制御して、貨幣の入出が可能な開状態とすることができる。
【０１０６】
また、本実施の形態では、インターフェース８２９が、開閉電磁ロック８１１ｍ〜８１５ｍを制御してロック状態とするためのロック信号を受信するロック信号受信部として機能するようになっており、これに対応して、出納機７００の制御部７１５が、所定の条件下で、インターフェース７１９を介してロック信号をインターフェース７２９に対して送信するように構成されている。この場合、貨幣管理装置８００は、各ドロア８１１〜８１５の開状態から閉状態への変化を検知する閉動作検知装置８１１ｃ〜８１５ｃ（図１１参照）を更に備え、当該閉動作検知装置８１１ｃ〜８１５ｃによる検知信号が出納機７００に送信され、出納機７００が当該検知信号を受信した際に前記ロック信号を送信するようになっていることが好ましい。この場合、各ドロアのロック制御の管理を、出納機７００側でより集中的に行うことが可能となる。あるいは、開閉電磁ロック８１１ｍ〜８１５ｍは、開状態とされてから所定時間が経過しても依然として開状態である場合に、自動的にロック状態となるように構成されていることが好ましい。また、貨幣管理装置８００は、各ドロア８１１〜８１５の閉状態から開状態への変化を検知する開動作検知装置８１１ｏ〜８１５ｏを更に備えることが好ましい。
【０１０７】
また、図１１に示すように、制御部８２５には、各ドロア８１１〜８１５の開状態が所定時間以上継続している際に報知信号を出力する報知装置８８０や、貨幣管理装置８００の電源オフ時にドロアの開閉が行われる際にそのことを検知する鍵検知部８９０がそれぞれ通信可能に接続されている。
【０１０８】
また、制御部８２５には、貨幣管理装置８００から取り出された棒金硬貨や帯封紙幣の取出量を検知するための取出量検知手段８５０が通信可能に接続されている。この取出量検知手段８５０の構成の詳細については後述する。
【０１０９】
次に、本実施の形態の貨幣処理システム６００において貨幣管理装置８００から棒金硬貨や帯封紙幣を取り出し、この取り出された棒金硬貨や帯封紙幣の包装を解いてバラ硬貨やバラ紙幣とした後にこれらのバラ硬貨やバラ紙幣を出納機７００のバラ紙幣処理部Ｐ２やバラ硬貨処理部７１２に補充する動作について説明する。
【０１１０】
操作者が出納機７００への貨幣の補充処理を行う場合には、まずこの出納機７００に設けられたキーボード式操作部７１６や貨幣管理装置８００に設けられたキーボード式操作部８２６により補充処理開始の指令を入力する。補充処理開始の指令が出納機７００の制御部７１５に与えられると、補充可能量算出手段７２２により、出納機７００のバラ硬貨処理部７１２やバラ紙幣処理部Ｐ２における貨幣（具体的には、硬貨や紙幣）の補充可能量が金種毎に算出される。また、制御部７１５はインターフェース７１９を介して貨幣管理装置８００の制御部８２５に指令を送ることにより開閉電磁ロック８１１ｍ〜８１５ｍを制御してロック状態を解除するようにする。このとき、補充処理に必要の無いドロア８１１〜８１５（即ち、補充すべき金種の貨幣を収納していないドロア８１１〜８１５）の開閉電磁ロック８１１ｍ〜８１５ｍは、解除されないようにしてもよい。
【０１１１】
貨幣管理装置８００において開閉電磁ロック８１１ｍ〜８１５ｍによるロック状態が解除されると、操作者は貨幣管理装置８００の筐体から各ドロア８１１〜８１５を手前側に引き出し、出納機７００に補充すべき貨幣の金種に対応する棒金硬貨や帯封紙幣を各ドロア８１１〜８１５から取り出す。この際に、ロードセル８１１ｒ〜８１４ｒによる測定結果に基づいて、各ドロア８１１〜８１５から取り出された棒金硬貨や帯封紙幣の数が取出量検知手段８５０により検知される。
【０１１２】
そして、比較手段７２４によって、補充可能量算出手段７２２により算出された、出納機７００のバラ硬貨処理部７１２やバラ紙幣処理部Ｐ２における貨幣の補充可能量と、取出量検知手段８５０により検知された、貨幣管理装置８００から取り出された棒金硬貨や帯封紙幣の取出量とが金種毎に比較される。そして、全ての金種について取出量が補充可能量よりも少ない場合には、制御部７１５は出納機７００においてバラ硬貨処理部７１２やバラ紙幣処理部Ｐ２に貨幣が収納されることを認容する。一方、比較手段７２４において出納機７００のバラ硬貨処理部７１２やバラ紙幣処理部Ｐ２における補充可能量と貨幣管理装置８００からの棒金硬貨や帯封紙幣の取出量とを金種毎に比較したときに、１つの金種でも補充可能量よりも取出量が多いと判断された場合には、貨幣管理装置８００から取り出された棒金硬貨や帯封紙幣の包装を解いてバラ硬貨やバラ紙幣としても、当該金種のバラ硬貨やバラ紙幣を出納機７００のバラ硬貨処理部７１２やバラ紙幣処理部Ｐ２に収納しきれないおそれがあり、出納機７００に収納しきれずに返却されたバラ硬貨やバラ紙幣の保管に困るという問題が生じてしまう。このため、比較手段７２４において１つの金種でも補充可能量よりも取出量が多いと判断された場合には、制御部７１５は出納機７００においてバラ硬貨処理部７１２やバラ紙幣処理部Ｐ２に貨幣が収納されることを防止するようバラ硬貨処理部７１２やバラ紙幣処理部Ｐ２の各構成部材の制御を行う。具体的には、各入金口のシャッタを閉鎖したり、取り込み動作を行ったりしないような制御を行う。
【０１１３】
また、比較手段７２４において１つの金種でも補充可能量よりも取出量が多いと判断された場合には、貨幣管理装置８００において各ドロア８１１〜８１５が筐体内に戻されても開閉電磁ロック８１１ｍ〜８１５ｍが各ドロア８１１〜８１５のロックを行わないよう、制御部７１５がインターフェース７１９を介して開閉電磁ロック８１１ｍ〜８１５ｍを制御するようにする。この場合には、操作者が各ドロア８１１〜８１５を貨幣管理装置８００の筐体内に戻しても開閉電磁ロック８１１ｍ〜８１５ｍによりドロア８１１〜８１５が筐体内にロックされないので、操作者は貨幣管理装置８００からの棒金硬貨や帯封紙幣の取り出し量が多すぎることを認識することができるようになる。
【０１１４】
また、比較手段７２４において１つの金種でも補充可能量よりも取出量が多いと判断された場合には、出納機７００の表示部７１５ａや貨幣管理装置８００の表示部８２７において操作者に対して警告表示を行う。このことによって、操作者は貨幣管理装置８００からの棒金硬貨や帯封紙幣の取り出し量が多すぎることを認識することができるようになる。このとき、取出し過ぎた貨幣の金種や数量をあわせて表示してもよい。また、比較手段７２４において１つの金種でも補充可能量よりも取出量が多いと判断された場合には、貨幣管理装置８００から取り出された棒金硬貨や帯封紙幣を、貨幣管理装置８００に戻すのではなく棒金硬貨処理部７１３や帯封紙幣処理部Ｐ１に収納することを操作者に指示する旨のメッセージが出納機７００の表示部７１５ａや貨幣管理装置８００の表示部８２７に表示されるようになっていてもよい。このように、本実施の形態の貨幣処理システム６００では、第１の実施の形態の貨幣処理システムと異なり、貨幣管理装置８００から取り出された棒金硬貨や帯封紙幣をばらさないでそのまま出納機７００に補充するような運用も可能となる。
【０１１５】
以上のような構成からなる本実施の形態の貨幣処理システム６００によれば、出納機７００に収納されている貨幣（ここで、貨幣は、バラ紙幣、バラ硬貨、帯封紙幣および棒金硬貨を含む群から選択された少なくとも１つのものからなる）の在高を在高管理手段７２０により管理し、在高管理手段７２０により管理される在高に基づいて出納機７００における貨幣の補充可能量を補充可能量算出手段７２２により算出し、貨幣管理装置８００から取り出された棒金硬貨や帯封紙幣の取出量を取出量検知手段８５０により検知し、補充可能量算出手段７２２により算出された補充可能量と取出量検知手段８５０により検知された取出量とを比較手段７２４により比較するようになっている。このように、出納機７００における貨幣の補充可能量と、貨幣管理装置８００から取り出された棒金硬貨や帯封紙幣の取出量とを比較することによって、出納機７００における貨幣の補充可能量よりも多くの量の棒金硬貨や帯封紙幣を操作者が誤って貨幣管理装置８００から取り出してしまったときにこのことを当該操作者に認識させることができ、よって出納機７００に補充することができないバラ硬貨やバラ紙幣が発生してしまうことを防止することができる。
【０１１６】
なお、本実施の形態による貨幣処理システム６００は、上述したような態様に限定されることはなく、様々な変更を加えることができる。
【０１１７】
例えば、上記の説明では、出納機７００に在高管理手段７２０、補充可能量算出手段７２２および比較手段７２４が設けられるとともに貨幣管理装置８００に取出量検知手段８５０が設けられた貨幣処理システム６００について述べたが、本実施の形態による貨幣処理システム６００はこのような態様のものに限定されることはない。本実施の形態による貨幣処理システム６００の他の例として、在高管理手段７２０、補充可能量算出手段７２２、比較手段７２４および取出量検知手段８５０の全てが出納機７００および貨幣管理装置８００のうちいずれか一方に設けられたものが用いられもよい。また、本実施の形態による貨幣処理システム６００の更に他の例として、出納機７００や貨幣管理装置８００にパーソナルコンピュータ等の操作端末機が通信可能に接続されており、この操作端末機に在高管理手段７２０、補充可能量算出手段７２２、比較手段７２４および取出量検知手段８５０の全てが設けられたものが用いられてもよい。
【０１１８】
また、貨幣管理装置８００の各硬貨保管容器や各紙幣保管容器に収納保管されている棒金硬貨や帯封紙幣の重量を測定するための測定手段としてロードセル８１１ｒ〜８１４ｒを用いる代わりに、各ドロア８１１〜８１４に対応して貨幣管理装置８００の筐体側に光センサやイメージセンサを配設し、このセンサによって各ドロア８１１〜８１４内の棒金硬貨や帯封紙幣を走査することによりこれらの棒金硬貨や帯封紙幣の有無や数量の検知を行うようになっていてもよい。
【０１１９】
また、図８に示すような貨幣処理システム６００において出納機７００や貨幣管理装置８００に両替機等の他の機器が追加的に通信可能に接続されていてもよい。この場合には、出納機７００の制御部７１５が両替機等の他の機器の在高情報を集中的に管理することにより、この両替機等における貨幣の補充可能量と、貨幣管理装置８００から取り出された棒金硬貨や帯封紙幣の取出量とを比較することができるようになる。
【符号の説明】
【０１２０】
１００    硬貨釣銭機
１０１    硬貨識別部
１０３    入金搬送部
１０４    分岐部
１０６    硬貨収納部
１０８    出金搬送部
１１０    筐体
１１２    操作表示部
１１３    音声部
１１４    硬貨受入部
１１６    硬貨払出部
１１７    硬貨取込防止手段
１１８    シャッタ
１２０    上位制御部
１３０    硬貨釣銭機制御部
１３２    インターフェース
１３４    記憶部
１３６    在高管理手段
１３７    補充可能量算出手段
１３８    比較手段
２００    紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１６    紙幣払出部
２１６ａ  紙幣取出口
２３０    紙幣釣銭機制御部
２３２    インターフェース
３００    ＰＯＳレジスタ
３０２    表示部
３０２ａ  表示部
３０４    操作部
３３０    ＰＯＳ制御部
３３２    インターフェース
３３４    記憶部
３３６    カードリーダ
３３８    印字部
４００    棒金収納装置
４１０    筐体
４１２    収納ドロア
４１４    棒金検知部
４１４ａ  光センサ
４１４ｂ  ロータリエンコーダ
４１５    棒金検知部
４１６    ロック部
４３０    棒金収納装置制御部
４３２    インターフェース
４３４    記憶部
４３６    取出量検知手段
６００    貨幣処理システム
７００    出納機
７１１    紙幣処理装置
７１２    バラ硬貨処理部
７１３    棒金硬貨処理部
７１４    現金外ボックス
７１５    制御部
７１５ａ  表示部
７１５ｂ  カードリーダ
７１５ｃ  記憶部
７１６    キーボード式操作部
７１８    外部プリンタ
７１９    インターフェース
７２０    在高管理手段
７２２    補充可能量算出手段
７２４    比較手段
７２９    インターフェース
８００    貨幣管理装置
８１１    第１紙幣収納ドロア
８１２    第２紙幣収納ドロア
８１３    第１硬貨収納ドロア
８１４    第２硬貨収納ドロア
８１５    予備収納ドロア
８１１ｃ〜８１５ｃ  閉動作検知装置
８１１ｍ〜８１５ｍ  開閉電磁ロック
８１１ｏ〜８１５ｏ  開動作検知装置
８１１ｒ〜８１４ｒ  ロードセル
８２１〜８２４    紙幣保管容器
８２５    制御部
８２５ａ  記憶部
８２６    キーボード式操作部
８２７    表示部
８２８    カードリーダ
８２９    インターフェース
８４１〜８４３    硬貨保管容器
８５０    取出量検知手段
８８０    報知装置
８９０    鍵検知部
Ｐ１      帯封紙幣処理部
Ｐ２      バラ紙幣処理部
【図１】
2015228161.tif 000003
【図２】
2015228161.tif 000004
【図３】
2015228161.tif 000005
【図４】
2015228161.tif 000006
【図５】
2015228161.tif 000007
【図６】
2015228161.tif 000008
【図７】
2015228161.tif 000009
【図８】
2015228161.tif 000010
【図９】
2015228161.tif 000011
【図１０】
2015228161.tif 000012
【図１１】
2015228161.tif 000013